【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
標的組織の微小気泡強化治療のためのシステムであって、前記システムは、
微小気泡を保管するための第１の保管容器を備える投与デバイスと、
コントローラであって、
（ａ）前記標的組織を治療するための前記微小気泡の所望の特性を受信することと、
（ｂ）前記微小気泡を前記投与デバイスから分注させることと、
（ｃ）前記分注された微小気泡の特性を前記所望の特性と比較し、それらの間の合致を検証することと
を行うように構成される、コントローラと
を備える、システム。
【請求項２】
前記コントローラはさらに、前記合致の検証に応じて、前記分注された微小気泡を前記標的組織に導入させるように構成される、請求項１に記載のシステム。
【請求項３】
前記コントローラはさらに、前記所望の特性からの前記分注された微小気泡の特性の間の臨床的に有意な逸脱を検出することに応じて、予防アクションを引き起こすように構成される、請求項１に記載のシステム。
【請求項４】
前記分注された微小気泡の特性を測定するための測定システムをさらに備える、請求項１に記載のシステム。
【請求項５】
前記測定システムは、音響システムを備える、請求項４に記載のシステム。
【請求項６】
前記音響システムは、前記微小気泡の前記特性を測定するために前記微小気泡に複数の周波数を印加するように構成される、請求項５に記載のシステム。
【請求項７】
前記音響システムは、前記微小気泡からの減衰、散乱、後方散乱、高調波発生、または副高調波発生のうちの少なくとも１つを測定するように構成される、請求項５に記載のシステム。
【請求項８】
前記測定システムは、レーザ光不明瞭化および散乱、エレクトロゾーン感知、光学顕微鏡法、またはフローサイトメトリのうちの少なくとも１つの測定を実施するように構成される、請求項４に記載のシステム。
【請求項９】
前記測定システムは、前記微小気泡の投与速度を測定するための少なくとも１つのセンサを備える、請求項４に記載のシステム。
【請求項１０】
超音波を前記微小気泡に伝送するための超音波トランスデューサをさらに備え、前記測定システムは、前記超音波に対する前記微小気泡の応答を監視するように構成される、請求項４に記載のシステム。
【請求項１１】
前記コントローラはさらに、少なくとも部分的に、その前記監視された応答に基づいて、超音波パラメータまたは前記分注される微小気泡の特性のうちの少なくとも１つを調節するように構成される、請求項１０に記載のシステム。
【請求項１２】
前記超音波パラメータは、前記超音波トランスデューサを駆動する信号の周波数、位相、または振幅のうちの少なくとも１つを含む、請求項１１に記載のシステム。
【請求項１３】
超音波トランスデューサをさらに備え、前記投与デバイスはさらに、治療剤を保管するための第２の保管容器を備え、前記コントローラはさらに、
前記超音波トランスデューサに、治療超音波を前記標的組織に伝送させ、その中に音響場を発生させることと、
前記標的組織内に最適な治療効果を生成するように、前記治療剤の投与を引き起こすことと
を行うように構成される、請求項１に記載のシステム。
【請求項１４】
治療手技の条件を示す信号を検出するための測定システムをさらに備える、請求項１３に記載のシステム。
【請求項１５】
前記治療手技の条件は、前記標的組織の条件、前記治療剤の条件、または前記微小気泡の条件のうちの少なくとも１つを含む、請求項１４に記載のシステム。
【請求項１６】
前記微小気泡の条件は、そのキャビテーション状態である、請求項１５に記載のシステム。
【請求項１７】
前記標的組織の条件は、前記標的組織の温度、サイズ、形状、または場所のうちの少なくとも１つを含む、請求項１５に記載のシステム。
【請求項１８】
前記測定システムは、イメージャまたは音響信号検出器のうちの少なくとも１つを備える、請求項１４に記載のシステム。
【請求項１９】
前記コントローラはさらに、少なくとも部分的に、前記検出された信号に基づいて、前記投与される微小気泡または前記投与される治療剤のうちの少なくとも１つの特性を調節するように構成される、請求項１４に記載のシステム。
【請求項２０】
前記特性は、前記投与される微小気泡および／または治療剤の作用物質タイプ、サイズ、濃度、投与速度、投与量、投与パターン、投与時間、または投与圧力のうちの少なくとも１つである、請求項１９に記載のシステム。
【請求項２１】
前記コントローラはさらに、前記投与される微小気泡の存在下で、前記超音波トランスデューサに超音波を前記標的組織に伝送させるように構成される、請求項１３に記載のシステム。
【請求項２２】
前記投与デバイスはさらに、造影剤を保管するための第３の保管容器を備える、請求項１３に記載のシステム。
【請求項２３】
前記投与デバイスはさらに、
作動機構と、
前記微小気泡、治療剤、または造影剤のうちの少なくとも１つを前記標的組織に送達するための導入デバイスと、
前記微小気泡、造影剤、または治療剤のうちの少なくとも１つを前記対応する保管容器から前記導入デバイスに送達するための少なくとも１つのチャネルと
を備える、請求項２２に記載のシステム。
【請求項２４】
前記治療剤は、ブスルファン、チオテパ、ＣＣＮＵ（ロムスチン）、ＢＣＮＵ（カルムスチン）、ＡＣＮＵ（ニムスチン）、テモゾロミド、メトトレキサート、トポテカン、シスプラチン、エトポシド、イリノテカン／ＳＮ−３８、カルボプラチン、ドキソルビシン、ビンブラスチン、ビンクリスチン、プロカルバジン、パクリタキセル、フォテムスチン、イホスファミド／４−ヒドロキシイホスファミド／アルドイホスファミド、ベバシズマブ、５−フルオロウラシル、ブレオマイシン、ヒドロキシウレア、ドセタキセル、またはシタラビン（シトシンアラビノシド、ａｒａ−Ｃ）／ａｒａ−Ｕのうちの少なくとも１つを含む、請求項１３に記載のシステム。
【請求項２５】
前記第１の保管容器は、複数のチャネルに接続され、前記複数のチャネルのそれぞれは、前記微小気泡特性を変化させるための操作手段を有する、請求項１に記載のシステム。
【請求項２６】
前記操作手段は、異なる除外サイズを有する複数のフィルタを備え、前記コントローラは、
前記所望の微小気泡特性に対応する前記フィルタのうちの１つを有するチャネルを選択することと、
前記選択されたチャネルのみを通して前記微小気泡を投与させることと
を行うように構成される、請求項２５に記載のシステム。
【請求項２７】
前記操作手段は、音響場を前記微小気泡に印加することを含む、請求項２５に記載のシステム。
【請求項２８】
前記コントローラはさらに、所望のサイズ範囲外のサイズを有する前記微小気泡を破壊するように、前記音響場の周波数帯域を調整するように構成される、請求項２７に記載のシステム。
【請求項２９】
複数の保管容器をさらに備え、前記複数の保管容器のそれぞれは、異なるサイズ特性を有する微小気泡を含有し、前記コントローラは、
前記所望の微小気泡特性に対応する微小気泡をその中に有する前記保管容器のうちの１つを選択することと、
前記選択された保管容器のみから前記微小気泡を投与させることと
を行うように構成される、請求項１に記載のシステム。
【請求項３０】
ある放射線量を前記標的組織に伝送するための放射線デバイスをさらに備える、請求項１に記載のシステム。
【請求項３１】
前記コントローラはさらに、少なくとも部分的に、所定の投与プロファイルに基づいて、前記投与デバイスから前記微小気泡を分注するように構成される、請求項１に記載のシステム。
【請求項３２】
前記投与プロファイルは、少なくとも部分的に、前記分注される微小気泡の特性に基づいて決定される、請求項３１に記載のシステム。
【請求項３３】
前記分注される微小気泡の特性は、直径、サイズ分布、シェル組成、ガス組成、または液体コア組成のうちの少なくとも１つを含む、請求項３２に記載のシステム。
【請求項３４】
前記投与プロファイルは、前記微小気泡の用量、濃度、投与速度、投与タイミング、または投与圧力のうちの少なくとも１つを含む、請求項３１に記載のシステム。
【請求項３５】
少なくとも部分的に、前記所望の特性に基づいて、前記微小気泡を調製するための調製デバイスをさらに備える、請求項１に記載のシステム。
【請求項３６】
前記コントローラはさらに、前記標的組織の特性を入手し、少なくとも部分的に、前記標的組織の特性に基づいて、前記微小気泡の所望の特性を決定するように構成される、請求項１に記載のシステム。
【請求項３７】
前記調製デバイスは、前記微小気泡を所定の温度まで加熱するための加熱器を含む、請求項３５に記載のシステム。
【請求項３８】
標的組織の微小気泡強化治療のためのシステムであって、前記システムは、
微小気泡を保管するための保管容器を備える投与デバイスと、
コントローラであって、
（ａ）前記標的組織を治療するための前記微小気泡の所望の特性を受信することと、
（ｂ）実質的に前記所望の特性を有する前記微小気泡のみを前記標的組織の中に投与させることと
を行うように構成される、コントローラと
を備える、システム。
【請求項３９】
前記微小気泡を前記標的組織に送達するために前記保管容器に結合される少なくとも１つの流体チャネルと、
その中の前記微小気泡特性を変化させるために前記少なくとも１つの流体チャネルと関連付けられる操作装置と
をさらに備える、請求項３８に記載のシステム。
【請求項４０】
前記操作装置は、決定されたサイズ特性を有するフィルタを備える、請求項３９に記載のシステム。
【請求項４１】
前記操作装置は、音響場を前記少なくとも１つの流体チャネル内の前記微小気泡に印加するための超音波トランスデューサを備える、請求項３９に記載のシステム。
【請求項４２】
前記トランスデューサは、所望のサイズ範囲外のサイズを有する前記微小気泡を破壊するように、少なくとも１つの周波数帯域を有する音響場を印加するように構成される、請求項４１に記載のシステム。
【請求項４３】
前記コントローラはさらに、前記標的組織の特性を入手し、少なくとも部分的に、前記標的組織の特性に基づいて、前記微小気泡の所望の特性を決定するように構成される、請求項３８に記載のシステム。
【請求項４４】
前記コントローラはさらに、所定の投与プロファイルに基づいて、前記微小気泡を投与するように構成される、請求項３８に記載のシステム。
【請求項４５】
前記投与プロファイルは、少なくとも部分的に、前記微小気泡の第２の特性に基づいて決定される、請求項４４に記載のシステム。
【請求項４６】
前記微小気泡の第２の特性は、直径、サイズ分布、シェル組成、またはガスおよび／または液体コア組成のうちの少なくとも１つを含む、請求項４５に記載のシステム。
【請求項４７】
前記投与プロファイルは、前記微小気泡の用量、濃度、投与速度、投与タイミング、または投与圧力のうちの少なくとも１つを含む、請求項４４に記載のシステム。
【請求項４８】
少なくとも部分的に、前記所望の特性に基づいて、前記微小気泡を調製するための調製デバイスをさらに備え、前記調製された微小気泡の実質的に全ては、前記所望の特性を有する、請求項３８に記載のシステム。
【請求項４９】
標的組織の微小気泡強化治療のためのシステムであって、前記システムは、
微小気泡を保管するための保管容器を備える投与デバイスと、
少なくとも部分的に、所望の特性に基づいて、前記微小気泡を調製するための調製デバイスであって、前記調製された微小気泡の実質的に全ては、前記所望の特性を有する、調製デバイスと
を備える、システム。
【請求項５０】
前記調製デバイスは、加熱器、攪拌器、または超音波トランスデューサのうちの少なくとも１つを備える、請求項４９に記載のシステム。
【請求項５１】
前記所望の特性は、最大直径、平均直径、規定された平均の周囲の正規サイズ分布、シェル組成、またはガスおよび／または液体コア組成のうちの少なくとも１つを含む、請求項４９に記載のシステム。
【請求項５２】
標的組織の微小気泡強化治療のためのシステムであって、前記システムは、
複数のトランスデューサ要素を備える超音波トランスデューサと、
微小気泡を保管するための第１の保管容器と、治療剤を保管するための第２の保管容器とを備える投与デバイスと、
前記微小気泡の特性を変化させるために前記投与デバイスと関連付けられる操作装置と、
治療手技の条件を示す信号を検出するための測定システムと
コントローラであって、
（ａ）前記超音波トランスデューサに、超音波を前記標的組織に伝送させることと、
（ｂ）前記微小気泡および治療剤を前記投与デバイスから前記標的組織に分注させることと、
（ｃ）前記測定システムに前記治療手技の条件を示す前記信号を検出させることと、
（ｄ）少なくとも部分的に、前記検出された信号に基づいて、（ｉ）前記トランスデューサ要素のうちの少なくとも１つと関連付けられるパラメータ値、（ｉｉ）前記微小気泡特性、または（ｉｉｉ）前記微小気泡および／または前記治療剤の投与プロファイルのうちの少なくとも１つを調節することと
を行うように構成される、コントローラと
を備える、システム。
【請求項５３】
前記微小気泡特性は、最大直径、平均直径、規定された平均の周囲の正規サイズ分布、シェル組成、またはガスおよび／または液体コア組成のうちの少なくとも１つを含む、請求項５２に記載のシステム。
【請求項５４】
前記パラメータ値は、前記トランスデューサ要素のうちの少なくとも１つを駆動する信号の周波数、位相、または振幅のうちの少なくとも１つを含む、請求項５２に記載のシステム。
【請求項５５】
前記投与プロファイルは、用量、濃度、投与速度、投与タイミング、または投与圧力のうちの少なくとも１つを含む、請求項５２に記載のシステム。
【請求項５６】
前記操作装置は、決定されたサイズ特性を有するフィルタを備える、請求項５２に記載のシステム。
【手続補正２】
【補正対象書類名】明細書
【補正対象項目名】００３２
【補正方法】変更
【補正の内容】
【００３２】
本明細書に使用されるように、用語「実質的に」は、±１０％、いくつかの実施形態では、±５％を意味する。本明細書全体を通した「一実施例」、「ある実施例」、「一実施形態」、または「ある実施形態」の言及は、実施例と関連して説明される特定の特徴、構造、または特性が、本技術の少なくとも１つの実施例に含まれることを意味する。したがって、本明細書全体を通した種々の箇所における語句「一実施例では」、「ある実施例では」、「一実施形態」、または「ある実施形態」の出現は、必ずしも全てが同一の実施例を指すわけではない。さらに、特定の特徴、構造、ルーチン、ステップ、または特性は、本技術の１つ以上の実施例において任意の好適な様式で組み合わせられてもよい。本明細書に提供される見出しは、便宜上のためだけのものであり、請求される技術の範囲または意味を限定または解釈することを意図していない。
本願明細書は、例えば、以下の項目も提供する。
（項目１）
標的組織の微小気泡強化治療のためのシステムであって、前記システムは、
微小気泡を保管するための第１の保管容器を備える投与デバイスと、
コントローラであって、
（ａ）前記標的組織を治療するための前記微小気泡の所望の特性を受信することと、
（ｂ）前記微小気泡を前記投与デバイスから分注させることと、
（ｃ）前記分注された微小気泡の特性を前記所望の特性と比較し、それらの間の合致を検証することと
を行うように構成される、コントローラと
を備える、システム。
（項目２）
前記コントローラはさらに、前記合致の検証に応じて、前記分注された微小気泡を前記標的組織に導入させるように構成される、項目１に記載のシステム。
（項目３）
前記コントローラはさらに、前記所望の特性からの前記分注された微小気泡の特性の間の臨床的に有意な逸脱を検出することに応じて、予防アクションを引き起こすように構成される、項目１に記載のシステム。
（項目４）
前記分注された微小気泡の特性を測定するための測定システムをさらに備える、項目１に記載のシステム。
（項目５）
前記測定システムは、音響システムを備える、項目４に記載のシステム。
（項目６）
前記音響システムは、前記微小気泡の前記特性を測定するために前記微小気泡に複数の周波数を印加するように構成される、項目５に記載のシステム。
（項目７）
前記音響システムは、前記微小気泡からの減衰、散乱、後方散乱、高調波発生、または副高調波発生のうちの少なくとも１つを測定するように構成される、項目５に記載のシステム。
（項目８）
前記測定システムは、レーザ光不明瞭化および散乱、エレクトロゾーン感知、光学顕微鏡法、またはフローサイトメトリのうちの少なくとも１つの測定を実施するように構成される、項目４に記載のシステム。
（項目９）
前記測定システムは、前記微小気泡の投与速度を測定するための少なくとも１つのセンサを備える、項目４に記載のシステム。
（項目１０）
超音波を前記微小気泡に伝送するための超音波トランスデューサをさらに備え、前記測定システムは、前記超音波に対する前記微小気泡の応答を監視するように構成される、項目４に記載のシステム。
（項目１１）
前記コントローラはさらに、少なくとも部分的に、その前記監視された応答に基づいて、超音波パラメータまたは前記分注される微小気泡の特性のうちの少なくとも１つを調節するように構成される、項目１０に記載のシステム。
（項目１２）
前記超音波パラメータは、前記超音波トランスデューサを駆動する信号の周波数、位相、または振幅のうちの少なくとも１つを含む、項目１１に記載のシステム。
（項目１３）
超音波トランスデューサをさらに備え、前記投与デバイスはさらに、治療剤を保管するための第２の保管容器を備え、前記コントローラはさらに、
前記超音波トランスデューサに、治療超音波を前記標的組織に伝送させ、その中に音響場を発生させることと、
前記標的組織内に最適な治療効果を生成するように、前記治療剤の投与を引き起こすことと
を行うように構成される、項目１に記載のシステム。
（項目１４）
治療手技の条件を示す信号を検出するための測定システムをさらに備える、項目１３に記載のシステム。
（項目１５）
前記治療手技の条件は、前記標的組織の条件、前記治療剤の条件、または前記微小気泡の条件のうちの少なくとも１つを含む、項目１４に記載のシステム。
（項目１６）
前記微小気泡の条件は、そのキャビテーション状態である、項目１５に記載のシステム。
（項目１７）
前記標的組織の条件は、前記標的組織の温度、サイズ、形状、または場所のうちの少なくとも１つを含む、項目１５に記載のシステム。
（項目１８）
前記測定システムは、イメージャまたは音響信号検出器のうちの少なくとも１つを備える、項目１４に記載のシステム。
（項目１９）
前記コントローラはさらに、少なくとも部分的に、前記検出された信号に基づいて、前記投与される微小気泡または前記投与される治療剤のうちの少なくとも１つの特性を調節するように構成される、項目１４に記載のシステム。
（項目２０）
前記特性は、前記投与される微小気泡および／または治療剤の作用物質タイプ、サイズ、濃度、投与速度、投与量、投与パターン、投与時間、または投与圧力のうちの少なくとも１つである、項目１９に記載のシステム。
（項目２１）
前記コントローラはさらに、前記投与される微小気泡の存在下で、前記超音波トランスデューサに超音波を前記標的組織に伝送させるように構成される、項目１３に記載のシステム。
（項目２２）
前記投与デバイスはさらに、造影剤を保管するための第３の保管容器を備える、項目１３に記載のシステム。
（項目２３）
前記投与デバイスはさらに、
作動機構と、
前記微小気泡、治療剤、または造影剤のうちの少なくとも１つを前記標的組織に送達するための導入デバイスと、
前記微小気泡、造影剤、または治療剤のうちの少なくとも１つを前記対応する保管容器から前記導入デバイスに送達するための少なくとも１つのチャネルと
を備える、項目２２に記載のシステム。
（項目２４）
前記治療剤は、ブスルファン、チオテパ、ＣＣＮＵ（ロムスチン）、ＢＣＮＵ（カルムスチン）、ＡＣＮＵ（ニムスチン）、テモゾロミド、メトトレキサート、トポテカン、シスプラチン、エトポシド、イリノテカン／ＳＮ−３８、カルボプラチン、ドキソルビシン、ビンブラスチン、ビンクリスチン、プロカルバジン、パクリタキセル、フォテムスチン、イホスファミド／４−ヒドロキシイホスファミド／アルドイホスファミド、ベバシズマブ、５−フルオロウラシル、ブレオマイシン、ヒドロキシウレア、ドセタキセル、またはシタラビン（シトシンアラビノシド、ａｒａ−Ｃ）／ａｒａ−Ｕのうちの少なくとも１つを含む、項目１３に記載のシステム。
（項目２５）
前記第１の保管容器は、複数のチャネルに接続され、前記複数のチャネルのそれぞれは、前記微小気泡特性を変化させるための操作手段を有する、項目１に記載のシステム。
（項目２６）
前記操作手段は、異なる除外サイズを有する複数のフィルタを備え、前記コントローラは、
前記所望の微小気泡特性に対応する前記フィルタのうちの１つを有するチャネルを選択することと、
前記選択されたチャネルのみを通して前記微小気泡を投与させることと
を行うように構成される、項目２５に記載のシステム。
（項目２７）
前記操作手段は、音響場を前記微小気泡に印加することを含む、項目２５に記載のシステム。
（項目２８）
前記コントローラはさらに、所望のサイズ範囲外のサイズを有する前記微小気泡を破壊するように、前記音響場の周波数帯域を調整するように構成される、項目２７に記載のシステム。
（項目２９）
複数の保管容器をさらに備え、前記複数の保管容器のそれぞれは、異なるサイズ特性を有する微小気泡を含有し、前記コントローラは、
前記所望の微小気泡特性に対応する微小気泡をその中に有する前記保管容器のうちの１つを選択することと、
前記選択された保管容器のみから前記微小気泡を投与させることと
を行うように構成される、項目１に記載のシステム。
（項目３０）
ある放射線量を前記標的組織に伝送するための放射線デバイスをさらに備える、項目１に記載のシステム。
（項目３１）
前記コントローラはさらに、少なくとも部分的に、所定の投与プロファイルに基づいて、前記投与デバイスから前記微小気泡を分注するように構成される、項目１に記載のシステム。
（項目３２）
前記投与プロファイルは、少なくとも部分的に、前記分注される微小気泡の特性に基づいて決定される、項目３１に記載のシステム。
（項目３３）
前記分注される微小気泡の特性は、直径、サイズ分布、シェル組成、ガス組成、または液体コア組成のうちの少なくとも１つを含む、項目３２に記載のシステム。
（項目３４）
前記投与プロファイルは、前記微小気泡の用量、濃度、投与速度、投与タイミング、または投与圧力のうちの少なくとも１つを含む、項目３１に記載のシステム。
（項目３５）
少なくとも部分的に、前記所望の特性に基づいて、前記微小気泡を調製するための調製デバイスをさらに備える、項目１に記載のシステム。
（項目３６）
前記コントローラはさらに、前記標的組織の特性を入手し、少なくとも部分的に、前記標的組織の特性に基づいて、前記微小気泡の所望の特性を決定するように構成される、項目１に記載のシステム。
（項目３７）
標的組織の微小気泡強化治療のための方法であって、前記方法は、
（ａ）前記標的組織を治療するための前記微小気泡の所望の特性を受信することと、
（ｂ）前記微小気泡を投与デバイスから分注させることと、
（ｃ）前記分注された微小気泡の特性を前記所望の特性と比較し、それらの間の合致を検証することと
を含む、方法。
（項目３８）
前記合致の検証に応じて、前記分注された微小気泡を前記標的組織に導入させることをさらに含む、項目３７に記載の方法。
（項目３９）
前記所望の特性からの前記分注された微小気泡の特性の間の臨床的に有意な逸脱を検出することに応じて、予防アクションを引き起こすことをさらに含む、項目３７に記載の方法。
（項目４０）
前記分注された微小気泡の特性を測定することをさらに含む、項目３７に記載の方法。
（項目４１）
前記分注された微小気泡の特性は、音響システムを使用して測定される、項目４０に記載の方法。
（項目４２）
前記微小気泡の前記特性を測定するために前記微小気泡に複数の周波数を印加することをさらに含む、項目４１に記載の方法。
（項目４３）
前記微小気泡からの減衰、散乱、後方散乱、高調波発生、または副高調波発生のうちの少なくとも１つの信号を測定することをさらに含む、項目４１に記載の方法。
（項目４４）
前記分注された微小気泡の特性は、レーザ光不明瞭化および散乱、エレクトロゾーン感知、光学顕微鏡法、またはフローサイトメトリのうちの少なくとも１つを使用して測定される、項目４０に記載の方法。
（項目４５）
前記微小気泡の投与速度を測定することをさらに含む、項目４０に記載の方法。
（項目４６）
超音波トランスデューサに、超音波を前記微小気泡に伝送させることと、
前記超音波に対する前記微小気泡の応答を監視することと
をさらに含む、項目４０に記載の方法。
（項目４７）
少なくとも部分的に、その前記監視された応答に基づいて、超音波パラメータまたは前記分注される微小気泡の特性のうちの少なくとも１つを調節することをさらに含む、項目４６に記載の方法。
（項目４８）
前記超音波パラメータは、前記超音波トランスデューサを駆動する信号の周波数、位相、または振幅のうちの少なくとも１つを含む、項目４７に記載の方法。
（項目４９）
超音波トランスデューサに、超音波を前記標的組織に伝送させ、その中に音響場を発生させることと、
前記標的組織への治療剤の投与を引き起こすことと
をさらに含み、
前記微小気泡、音響場、および治療剤は、前記標的組織内に最適な治療効果を協働的に引き起こす、項目３７に記載の方法。
（項目５０）
治療手技の条件を示す信号を検出することをさらに含む、項目４９に記載の方法。
（項目５１）
前記治療手技の条件は、前記標的組織の条件、前記治療剤の条件、または前記微小気泡の条件のうちの少なくとも１つを含む、項目５０に記載の方法。
（項目５２）
前記微小気泡の条件は、そのキャビテーション状態である、項目５１に記載の方法。
（項目５３）
前記標的組織の条件は、前記標的組織の温度、サイズ、形状、または場所のうちの少なくとも１つを含む、項目５１に記載の方法。
（項目５４）
前記信号は、イメージャまたは音響信号検出器のうちの少なくとも１つを使用して測定される、項目５０に記載の方法。
（項目５５）
少なくとも部分的に、前記検出された信号に基づいて、前記微小気泡または前記投与される治療剤のうちの少なくとも１つの特性を調節することをさらに含む、項目５０に記載の方法。
（項目５６）
前記特性は、前記投与される微小気泡および／または治療剤の作用物質タイプ、サイズ、濃度、投与速度、投与量、投与パターン、投与時間、または投与圧力のうちの少なくとも１つである、項目５５に記載の方法。
（項目５７）
前記投与される微小気泡の存在下で、前記超音波トランスデューサに超音波を前記標的組織に伝送させることをさらに含む、項目４９に記載の方法。
（項目５８）
前記微小気泡、前記治療剤、または造影剤のうちの少なくとも１つを前記標的組織に送達することをさらに含む、項目４９に記載の方法。
（項目５９）
前記治療剤は、ブスルファン、チオテパ、ＣＣＮＵ（ロムスチン）、ＢＣＮＵ（カルムスチン）、ＡＣＮＵ（ニムスチン）、テモゾロミド、メトトレキサート、トポテカン、シスプラチン、エトポシド、イリノテカン／ＳＮ−３８、カルボプラチン、ドキソルビシン、ビンブラスチン、ビンクリスチン、プロカルバジン、パクリタキセル、フォテムスチン、イホスファミド／４−ヒドロキシイホスファミド／アルドイホスファミド、ベバシズマブ、５−フルオロウラシル、ブレオマイシン、ヒドロキシウレア、ドセタキセル、またはシタラビン（シトシンアラビノシド、ａｒａ−Ｃ）／ａｒａ−Ｕのうちの少なくとも１つを含む、項目４９に記載の方法。
（項目６０）
前記所望の微小気泡特性に対応するフィルタを有するチャネルを選択することと、
前記選択されたチャネルのみを通して前記微小気泡を投与させることと、
をさらに含む、項目３７に記載の方法。
（項目６１）
音響場を前記微小気泡に印加することをさらに含む、項目３７に記載の方法。
（項目６２）
所望のサイズ範囲外のサイズを有する前記微小気泡を破壊するように、前記音響場の周波数帯域を調整することをさらに含む、項目６１に記載の方法。
（項目６３）
前記所望の微小気泡特性に対応する微小気泡をその中に有する保管容器を選択することと、
前記選択された保管容器のみから前記微小気泡を投与させることと、
をさらに含む、項目３７に記載の方法。
（項目６４）
ある放射線量を前記標的組織に伝送することをさらに含む、項目３７に記載の方法。
（項目６５）
少なくとも部分的に、所定の投与プロファイルに基づいて、前記投与デバイスから前記微小気泡を分注することをさらに含む、項目３７に記載の方法。
（項目６６）
少なくとも部分的に、前記微小気泡の特性に基づいて、前記投与プロファイルを決定することをさらに含む、項目６５に記載の方法。
（項目６７）
前記微小気泡の特性は、直径、サイズ分布、シェル組成、またはガスおよび／または液体コア組成のうちの少なくとも１つを含む、項目６６に記載の方法。
（項目６８）
前記投与プロファイルは、前記微小気泡の用量、濃度、投与速度、投与タイミング、または投与圧力のうちの少なくとも１つを含む、項目６５に記載の方法。
（項目６９）
前記微小気泡を所定の温度まで加熱することをさらに含む、項目３７に記載の方法。
（項目７０）
前記標的組織の特性を入手し、少なくとも部分的に、前記標的組織の特性に基づいて、前記微小気泡の所望の特性を決定することをさらに含む、項目３７に記載の方法。
（項目７１）
標的組織の微小気泡強化治療のためのシステムであって、前記システムは、
微小気泡を保管するための保管容器を備える投与デバイスと、
コントローラであって、
（ａ）前記標的組織を治療するための前記微小気泡の所望の特性を受信することと、
（ｂ）実質的に前記所望の特性を有する前記微小気泡のみを前記標的組織の中に投与させることと
を行うように構成される、コントローラと
を備える、システム。
（項目７２）
前記微小気泡を前記標的組織に送達するために前記保管容器に結合される少なくとも１つの流体チャネルと、
その中の前記微小気泡特性を変化させるために前記少なくとも１つの流体チャネルと関連付けられる操作装置と
をさらに備える、項目７１に記載のシステム。
（項目７３）
前記操作装置は、決定されたサイズ特性を有するフィルタを備える、項目７２に記載のシステム。
（項目７４）
前記操作装置は、音響場を前記少なくとも１つの流体チャネル内の前記微小気泡に印加するための超音波トランスデューサを備える、項目７２に記載のシステム。
（項目７５）
前記トランスデューサは、所望のサイズ範囲外のサイズを有する前記微小気泡を破壊するように、少なくとも１つの周波数帯域を有する音響場を印加するように構成される、項目７４に記載のシステム。
（項目７６）
前記コントローラはさらに、前記標的組織の特性を入手し、少なくとも部分的に、前記標的組織の特性に基づいて、前記微小気泡の所望の特性を決定するように構成される、項目７１に記載のシステム。
（項目７７）
前記コントローラはさらに、所定の投与プロファイルに基づいて、前記微小気泡を投与するように構成される、項目７１に記載のシステム。
（項目７８）
前記投与プロファイルは、少なくとも部分的に、前記微小気泡の第２の特性に基づいて決定される、項目７７に記載のシステム。
（項目７９）
前記微小気泡の第２の特性は、直径、サイズ分布、シェル組成、またはガスおよび／または液体コア組成のうちの少なくとも１つを含む、項目７８に記載のシステム。
（項目８０）
前記投与プロファイルは、前記微小気泡の用量、濃度、投与速度、投与タイミング、または投与圧力のうちの少なくとも１つを含む、項目７７に記載のシステム。
（項目８１）
少なくとも部分的に、前記所望の特性に基づいて、前記微小気泡を調製するための調製デバイスをさらに備え、前記調製された微小気泡の実質的に全ては、前記所望の特性を有する、項目７１に記載のシステム。
（項目８２）
標的組織の微小気泡強化治療のための方法であって、前記方法は、
（ａ）前記標的組織を治療するための前記微小気泡の所望の特性を受信することと、
（ｂ）実質的に前記所望の特性を有する前記微小気泡のみを前記標的組織の中に投与させることと
を含む、方法。
（項目８３）
標的組織の微小気泡強化治療のためのシステムであって、前記システムは、
微小気泡を保管するための保管容器を備える投与デバイスと、
少なくとも部分的に、所望の特性に基づいて、前記微小気泡を調製するための調製デバイスであって、前記調製された微小気泡の実質的に全ては、前記所望の特性を有する、調製デバイスと
を備える、システム。
（項目８４）
前記調製デバイスは、加熱器、攪拌器、または超音波トランスデューサのうちの少なくとも１つを備える、項目８３に記載のシステム。
（項目８５）
前記所望の特性は、最大直径、平均直径、規定された平均の周囲の正規サイズ分布、シェル組成、またはガスおよび／または液体コア組成のうちの少なくとも１つを含む、項目８３に記載のシステム。
（項目８６）
標的組織の微小気泡強化治療のためのシステムであって、前記システムは、
複数のトランスデューサ要素を備える超音波トランスデューサと、
微小気泡を保管するための第１の保管容器と、治療剤を保管するための第２の保管容器とを備える投与デバイスと、
前記微小気泡の特性を変化させるために前記投与デバイスと関連付けられる操作装置と、
治療手技の条件を示す信号を検出するための測定システムと
コントローラであって、
（ａ）前記超音波トランスデューサに、超音波を前記標的組織に伝送させることと、
（ｂ）前記微小気泡および治療剤を前記投与デバイスから前記標的組織に分注させることと、
（ｃ）前記測定システムに前記治療手技の条件を示す前記信号を検出させることと、
（ｄ）少なくとも部分的に、前記検出された信号に基づいて、（ｉ）前記トランスデューサ要素のうちの少なくとも１つと関連付けられるパラメータ値、（ｉｉ）前記微小気泡特性、または（ｉｉｉ）前記微小気泡および／または前記治療剤の投与プロファイルのうちの少なくとも１つを調節することと
を行うように構成される、コントローラと
を備える、システム。
（項目８７）
前記微小気泡特性は、最大直径、平均直径、規定された平均の周囲の正規サイズ分布、シェル組成、またはガスおよび／または液体コア組成のうちの少なくとも１つを含む、項目８６に記載のシステム。
（項目８８）
前記パラメータ値は、前記トランスデューサ要素のうちの少なくとも１つを駆動する信号の周波数、位相、または振幅のうちの少なくとも１つを含む、項目８６に記載のシステム。
（項目８９）
前記投与プロファイルは、用量、濃度、投与速度、投与タイミング、または投与圧力のうちの少なくとも１つを含む、項目８６に記載のシステム。
（項目９０）
前記操作装置は、決定されたサイズ特性を有するフィルタを備える、項目８６に記載のシステム。